(57)【特許請求の範囲】
【請求項１】
ベース上に設けられ、記録媒体に対して情報の読み取り及び／または書き込みを行う記録再生部と、
該記録再生部をフローティング状態に支持する緩衝部材と、
該緩衝部材を介して前記記録再生部を支持する固定部材と、
該固定部材と前記ベースとの間を結合させる結合部材と、
ユーザの意思で前記録再生部をフローティング状態または前記録再生部を前記固定部材に固定する固定状態に切り替え操作するための切替操作部と、
該切替操作部の操作位置に応じて前記結合部材を結合位置または非結合位置に動作させる機構と、
前記録再生部を前記固定部材に固定する固定状態のとき、前記記録再生部の低い周波数領域でのサーボゲインを上げる制御手段と、
を備えてなることを特徴とする記録再生装置。
【請求項２】
ベース上に設けられ、記録媒体に対して情報の読み取り及び／または書き込みを行う記録再生部と、
該記録再生部をフローティング状態に支持する緩衝部材と、
該緩衝部材を介して前記記録再生部を支持する固定部材と、
該固定部材と前記ベースとの間を結合させる結合部材と、
該結合部材を結合位置または非結合位置に切り替える駆動手段と、
ユーザの意思で前記録再生部をフローティング状態または前記録再生部を前記固定部材に固定する固定状態に切り替え操作するための切替操作スイッチと、
該切替操作スイッチから入力された信号に応じて該駆動手段を制御して前記結合部材を結合位置または非結合位置に駆動させると共に、前記録再生部を前記固定部材に固定する固定状態のとき、前記記録再生部の低い周波数領域でのサーボゲインを上げる制御手段と、
を備えてなることを特徴とする記録再生装置。
【請求項３】
前記結合部材の動作位置を報知する報知手段を備えてなることを特徴とする請求項１または２記載の記録再生装置。
【発明の詳細な説明】
【０００１】
【発明の属する技術分野】
本発明は記録再生装置に係り、特に記録媒体に対して情報の読み取り及び／または書き込みを行うヘッドをフローティング状態に支持するか、固定状態に支持するのかを選択できるよう構成された記録再生装置に関する。
【０００２】
【従来の技術】
例えばディスク状記録媒体が装着される記録再生装置においては、レーザ式光学式ピックアップ及びディスク駆動用のターンテーブル、ディスクモータ等からなる記録再生部（記録再生ユニット）がディスク半径方向に移動して記録媒体に対して情報の読み取り及び／または書き込みを行う。記録再生部は、ディスク状記録媒体に高密度で記録された情報を正確に読み取ることができるように、レーザ光を照射するための対物レンズの角度をコイルとマグネットとからなるアクチュエータを用いて制御している。このように精密に制御される記録再生部においては、外部からの振動や衝撃が伝播すると、トラックずれ等の読み取り誤差が生じることがある。そのため、この種の記録再生装置では、外部からの振動や衝撃をキャンセルして光学式ヘッドが影響を受けないように弾性を有するダンパ部材によりフローティング状態に支持するように構成されている。
【０００３】
一方、上記のようなフローティング構造を採用した場合、記録再生部の重量が重過ぎると、それを支持するフローティング構造が大掛かりになるため、一般的に記録再生部の重量を軽くしている。そのため、ディスク状記録媒体をクランプするターンテーブルの回転やピックアップのシーク動作によって、記録再生部自体が振動し、その結果、ジッターが増えて音質の低下を招くことがあり、一部の高級機では、敢えて記録再生部を装置筐体に固定した剛体構造（リジット構造）とする場合がある。この場合、剛体構造とした際に外部からの振動や衝撃の影響を回避するため、振動や衝撃が記録再生部に伝わらないように減衰させる構造または材料を採用する必要がある。
【発明が解決しようとする課題】
例えば、音楽用ＣＤに記録された音楽をＢＧＭ（バック・グラウンド・ミュージック）としてスピーカで聞く場合、記録再生部がフローティング状態に支持された構成で振動や衝撃に強い状態で音楽を再生することが望ましい。また、ジャズやクラシック音楽のように楽器の音質を楽しむときには、記録再生部が剛体構造で支持されている方が再生された音質がより高められる。
【０００４】
しかしながら、従来の記録再生装置においては、上記のようなフローティング構造のものか、あるいは剛体構造の何れか一方のものを選択して購入することになるため、例えば、購入した後でフローティング構造または剛体構造に変更することができず、ユーザの好みに応じて選択することができないという問題があった。
【０００５】
また、従来の剛体構造のものは、振動周波数の低い領域から振動数の高い領域まで広範囲の振動を絶縁するように大きくて重い重量の材質を使用する構造であるため、コストがかなり高価になり、一般のユーザが購入するのが難しかった。
そこで、本発明は上記課題を解決した記録再生装置を提供することを目的とする。
【０００６】
【課題を解決するための手段】
上記課題を解決するため、本発明は以下のような特徴を有する。
上記請求項１記載の発明は、ベース上に設けられ、記録媒体に対して情報の読み取り及び／または書き込みを行う記録再生部と、該記録再生部をフローティング状態に支持する緩衝部材と、該緩衝部材を介して前記記録再生部を支持する固定部材と、該固定部材と前記ベースとの間を結合させる結合部材と、ユーザの意思で前記録再生部をフローティング状態または前記録再生部を前記固定部材に固定する固定状態に切り替え操作するための切替操作部と、該切替操作部の操作位置に応じて前記結合部材を結合位置または非結合位置に動作させる機構と、前記録再生部を前記固定部材に固定する固定状態のとき、前記記録再生部の低い周波数領域でのサーボゲインを上げる制御手段と、を備えており、切替操作部の操作による切替動作で記録再生部の支持構造をフローティング構造または剛体構造に容易に切り替えることができ、ユーザの好みに応じて記録再生部の支持構造を選択することができる。
【０００７】
上記請求項２記載の発明は、記録媒体に対して情報の読み取り及び／または書き込みを行う記録再生部と、記録再生部をフローティング状態に支持する緩衝部材と、緩衝部材を介して記録再生部を支持する固定部材と、固定部材とベースとの間を結合させる結合部材と、結合部材を結合位置または非結合位置に切り替える駆動手段と、ユーザの意思で前記録再生部をフローティング状態または前記録再生部を前記固定部材に固定する固定状態に切り替え操作するための切替操作スイッチと、該切替操作スイッチから入力された信号に応じて該駆動手段を制御して前記結合部材を結合位置または非結合位置に駆動させると共に、前記録再生部を前記固定部材に固定する固定状態のとき、前記記録再生部の低い周波数領域でのサーボゲインを上げる制御手段と、を備えており、ユーザのスイッチ操作により結合部材を結合位置または非結合位置に駆動させて記録再生部の支持構造をフローティング構造または剛体構造に容易に切り替えることができる。
【０００８】
上記請求項３記載の発明は、結合部材の動作位置を報知する報知手段を備えており、報知手段により記録再生部の支持構造がフローティング構造か、あるいは剛体構造なのかを容易に認識することができる。
【００１０】
従って、ユーザは、切替操作ノブ１６のつまみ１６ａがどちらの方向に向いているのかによりフローティング位置（Ｆｌｏａｔ）または固定位置（Ｒｉｇｉｄ）に操作されていることを確認することができる。
【００１１】
図２は第１実施例の筐体１２の内部構成を示す正面図である。
図２に示されるように、筐体１２の内部に設けられたシャーシ１８上には、ダンパ部材２０を介して記録再生ユニット２２がフローティング状態に支持されている。この記録再生ユニット２２には、ＣＤがクランプされるターンテーブル、ターンテーブルを回転駆動するディスクモータ、ＣＤに記録された音楽情報を読み取る光学式ピックアップ、ピックアップ駆動機構などが組み込まれている。
【００１２】
記録再生ユニット２２の側方には、動作状態切替機構２４が設けられている。
この動作状態切替機構２４は、前面パネル１４に回動可能に設けられた切替操作ノブ１６と、切替操作ノブ１６と一体に回動する回転体２５の裏面に突出する偏心ピン２６と、偏心ピン２６の回動により横方向に水平移動する係合部材２８とからなる。
【００１３】
係合部材２８は、偏心ピン２６が嵌合する長孔２８ａと、円形に形成された切替操作ノブ１６の接線方向（Ｘ方向）に延在するロッド２８ｂとを有する。また、係合部材２８は、ロッド２８ｂの延在方向に摺動可能に支持されており、ロッド２８ｂの先端がシャーシ１８上に起立する固定板３０のロック孔３０ａに対向する位置となるように保持されている。さらに、記録再生ユニット２２は、固定板３０のロック孔３０ａに対向する側面にロッド２８ｂが挿入される係合孔２２ａが形成されている。
【００１４】
図３は第１実施例の記録再生ユニット２２をロックした固定状態を示す正面図である。
図３に示されるように、切替操作ノブ１６が時計方向に回動操作されると、固定板３０のロック孔３０ａを貫通したロッド２８ｂが記録再生ユニット２２の係合孔２２ａに挿入される。これにより、記録再生ユニット２２は、係合孔２２ａに挿入された係合部材２８のロッド２８ｂを介して固定板３０に固定され、フローティング状態から上下方向及び左右方向への変位が規制された固定状態（リジット）に切り替わる。
【００１５】
図４は第１実施例の記録再生ユニット２２がロック解除されたフローティング状態を示す縦断面図である。図５は第１実施例の記録再生ユニット２２がロックされた固定状態を示す縦断面図である。
【００１６】
図４に示されるように、記録再生ユニット２２の両側に配置された動作状態切替機構２４のフローティング状態のとき、係合部材２８のロッド２８ｂが記録再生ユニット２２から離間しており、ダンパ部材２０により支持されている。
【００１７】
フローティング状態においては、ダンパ部材２０が外部からの振動や衝撃を吸収するため、記録再生ユニット２２は、通常の音質でＣＤを再生することができる。
【００１８】
図５に示されるように、切替操作ノブ１６が時計方向に回動操作されると、記録再生ユニット２２の両側に配置された動作状態切替機構２４の係合部材２８のロッド２８ｂがターンテーブル３１及びディスクモータ３２を支持するトラバース３３のベース３４の両側に設けられた係合孔２２ａに挿通されてベース３４を固定板３０にロックする。
【００１９】
図５に示す固定状態においては、外部からの振動や衝撃が伝播されるため、アナログレコードのように振動に対して神経質になるが、ターンテーブル３１の回転やピックアップの駆動による内部振動は装置全体に分散するので、フローティング構造のように内部振動による記録再生ユニット２２の振動が発生せず、よって、高級機と同程度の音質が得られる。
【００２０】
従って、ユーザは、その場の環境（外部からの振動の有無）や再生される曲やそのときの気分に応じて切替操作ノブ１６を時計方向あるいは反時計方向に回動操作して記録再生ユニット２２をフローティング状態または固定状態に容易に切り替えることができ、例えば、外部振動の多い環境下で再生された音楽をＢＧＭとして聴く場合には、切替操作ノブ１６を反時計方向に回動操作してフローティング状態に設定し、外部振動が殆どない環境下で音楽を集中して聴きたいときは切替操作ノブ１６を時計方向に回動操作して固定状態に設定する。
【００２１】
図６は第２実施例の構成を示すブロック図である。尚、第１実施例と同一部分には同一符号を付してその説明を省略する。
図６に示されるように、第２実施例のＣＤ−ＲＯＭ装置（記録再生装置）４０は、筐体１２の前面パネル１４に液晶パネルなどからなる表示装置（報知手段）４４と切替操作釦４６とが取り付けられている。表示装置４４は、切替操作釦４６の操作に応じてそのときの動作状態、すなわち「Ｆｌｏａｔ」または「Ｒｉｇｉｄ」を表示する
切替操作釦４６は、ユーザの押圧操作によりスイッチ４８をオンまたはオフに切り替えるように操作することができる。また、スイッチ４８は、オンになると、制御部５０へ信号を出力する。従って、制御部５０では、スイッチ４８が切り替ったとき、動作状態切替機構５４のモータ５６を駆動させる。また、制御部５０は、後述するようにスイッチ４８のオンまたはオフに応じてピックアップ５７の制御動作モードを切り替える。
【００２２】
図７は第２実施例の筐体４２の内部構成を示す正面図である。
図７に示されるように、記録再生ユニット２２の側方には、動作状態切替機構５４が設けられている。この動作状態切替機構５４は、制御部５０からの指令により回転駆動されるモータ５６と、モータ５６に回転駆動される駆動ギヤ５８に噛合する大径ギヤ６０と、大径ギヤ６０の裏面に突出する偏心ピン２６と、偏心ピン２６の回動により横方向に水平移動する係合部材２８とからなる。
【００２３】
図８は第２実施例の記録再生ユニット２２をロックした固定状態を示す正面図である。
図８に示されるように、切替操作釦４６が押圧操作されてスイッチ４８がオンに切り替わると、制御部５０は、動作状態切替機構５４のモータ５６を駆動させる。モータ５６の回転は、駆動ギヤ５８及び大径ギヤ６０を介して偏心ピン２６に伝達され、係合部材２８のロッド２８ｂが固定板３０のロック孔３０ａ及び記録再生ユニット２２の係合孔２２ａに挿入される。これにより、記録再生ユニット２２は、係合孔２２ａに挿入されたロッド２８ｂを介して固定板３０に固定され、上下方向及び左右方向への変位が規制された固定状態（リジット）にロックされる。
【００２４】
図９は制御部５０が実行する制御処理を説明するためのフローチャートである。
図９に示されるように、制御部５０は、Ｓ１１において、スイッチ４８がオンからオフに切り替ったかどうかをチェックする。そして、Ｓ１１において、スイッチ４８がオンからオフに切り替っていないときは、Ｓ１２に進み、スイッチ４８がオフからオンに切り替ったかどうかをチェックする。
【００２５】
Ｓ１２において、スイッチ４８がオフからオンに切り替っていないときは、上記Ｓ１１に戻り、Ｓ１１、Ｓ１２の処理を繰り返す。また、Ｓ１２において、スイッチ４８がオフからオンに切り替ったときは、Ｓ１３に進み、動作状態切替機構５４のモータ５６を駆動させ、係合部材２８のロッド２８ｂを固定板３０のロック孔３０ａ及び記録再生ユニット２２の係合孔２２ａに挿入させる。
【００２６】
続いて、Ｓ１４では、記録再生ユニット２２が固定板３０に固定されており、ターンテーブル３１の回転やピックアップの駆動による低い周波数振動が伝わらないので、低い周波数領域でのサーボゲインを上げて高級機と同程度の音質が得られる。
【００２７】
そして、Ｓ１５では、低い周波数領域でのサーボゲインを高めた動作モード１による制御方式でピックアップ５７を制御する。
【００２８】
また、上記Ｓ１１において、スイッチ４８がオンからオフに切り替ったときは、Ｓ１６に進み、動作状態切替機構５４のモータ５６を逆方向に駆動させ、係合部材２８のロッド２８ｂを固定板３０のロック孔３０ａ及び記録再生ユニット２２の係合孔２２ａから離間させる。
【００２９】
続いて、Ｓ１７では、記録再生ユニット２２がダンパ部材２０によりフローティング状態に支持されており、ターンテーブル３１の回転やピックアップ５７の駆動による低い周波数振動が伝わるので、低い周波数領域でのサーボゲインを下げて通常の音質が得られる。
【００３０】
そして、Ｓ１８では、低い周波数領域でのサーボゲインを小さくして動作モード２による制御方式でピックアップ５７を制御する。
【００３１】
このように、切替操作釦４６が押圧操作に応じてモータ５６が駆動されることにより、記録再生ユニット２２がフローティング状態または固定状態に自動的に切り替えることができる。従って、フローティング状態においては、ダンパ部材２０が外部からの振動や衝撃を吸収するため、記録再生ユニット２２は、通常の音質でＣＤを再生することができる。また、固定状態においては、外部からの振動や衝撃が伝播されるため、アナログレコードのように振動に対して神経質になるが、フローティング構造のようなターンテーブル３１の回転やピックアップの駆動による振動が影響しないので、高級機と同程度の音質が得られる。
【００３２】
剛体構造を採用した従来の装置では、どんな環境下でもりジット状態で使用することになるため、外部振動が多い環境下で使用した場合であっても、記録際西部が外部振動からの影響を受けないようにするために、大掛かりでハイコストな剛体構造を採用する必要があった。
【００３３】
これに対し、本発明のＣＤ−ＲＯＭ装置１１では、外部振動が多い環境で使用する場合には、フローティング状態を選択することができるので、リジット状態で外部振動対策を考慮した大掛かりで高価な剛体構造を採用する必要がない。これにより、コンパクトで安価な剛体構造によるリジット状態を実現することができる。
【００３４】
図１０は変形例のフローティング状態を示す縦断面図である。図１１は変形例の固定状態を示す縦断面図である。
【００３５】
図１０に示されるように、ＣＤ−ＲＯＭ装置６１のベース３４は、固定板３０の水平部３０ｂの上方でフローティング状態に支持されており、水平部３０ｂのロック孔３０ａに対向する係合孔２２ａを有する。
【００３６】
係合部材６２は、ベース３４の上方に移動してロックを解除している。そのため、図１０に示すフローティング状態においては、ダンパ部材２０が外部からの振動や衝撃を吸収するため、記録再生ユニット２２は、通常の音質でＣＤを再生することができる。
【００３７】
尚、この変形例の係合部材６２は、貫通孔３０ａ及び係合孔３４ａに挿入されるロッド６２ａと、ベース３４の上面に当接する鍔部６２ｂと、鍔部６２ｂより上方に延在するウォーム６２ｃとを有する。ウォーム６２ｃには、前後方向に延在するウォームホイール６４が噛合しており、ウォームホイール６４は上記第２実施例と同様に動作状態切替機構５４のモータ５６により回転駆動される。
【００３８】
図１１に示されるように、前述した第２実施例のスイッチ４８がオンのときは、動作状態切替機構５４のモータ５６を駆動させ、係合部材６２のロッド６２ａを垂下方向に降下させて固定板３０のロック孔３０ａ及び記録再生ユニット２２の係合孔３４ａに挿入させる。そして、係合部材６２の鍔部６２ｂがベース３４を押下して水平部３０ｂに当接した位置で停止する。これで、記録再生ユニット２２のベース３４が固定板３０に固定される。そのため、ターンテーブル３１の回転やピックアップの駆動による低い周波数振動が伝わらないので、低い周波数領域でのサーボゲインを上げて高級機と同程度の音質が得られる。
【００３９】
尚、上記実施の形態では、光学式ヘッドを有するＣＤ−ＲＯＭ装置をディスク装置の一例として挙げたが、これに限らず、例えばＤＶＤ装置あるいは磁気ヘッドを用いて記録または再生を行う磁気記録方式の記録再生装置等にも適用できるのは勿論である。
【００４０】
【発明の効果】
上述の如く、請求項１記載の発明によれば、ベース上に設けられ、記録媒体に対して情報の読み取り及び／または書き込みを行う記録再生部と、該記録再生部をフローティング状態に支持する緩衝部材と、該緩衝部材を介して前記記録再生部を支持する固定部材と、該固定部材と前記ベースとの間を結合させる結合部材と、ユーザの意思で前記録再生部をフローティング状態または前記録再生部を前記固定部材に固定する固定状態に切り替え操作するための切替操作部と、該切替操作部の操作位置に応じて前記結合部材を結合位置または非結合位置に動作させる機構と、前記録再生部を前記固定部材に固定する固定状態のとき、前記記録再生部の低い周波数領域でのサーボゲインを上げる制御手段と、を備えており、切替操作部の操作による切替動作で記録再生部の支持構造をフローティング構造または剛体構造に容易に切り替えることができ、ユーザの好みに応じて記録再生部の支持構造を選択することができる。従って、外部振動が多い環境で使用する場合には、フローティング状態を選択することができるので、リジット状態で外部振動対策を考慮した大掛かりで高価な剛体構造を採用する必要がない。これにより、従来のものよりもコンパクトで安価な剛体構造によるリジット状態を実現することができる。
【００４１】
上記請求項２記載の発明によれば、記録媒体に対して情報の読み取り及び／または書き込みを行う記録再生部と、記録再生部をフローティング状態に支持する緩衝部材と、緩衝部材を介して記録再生部を支持する固定部材と、固定部材とベースとの間を結合させる結合部材と、結合部材を結合位置または非結合位置に切り替える駆動手段と、ユーザの意思で前記録再生部をフローティング状態または前記録再生部を前記固定部材に固定する固定状態に切り替え操作するための切替操作スイッチと、該切替操作スイッチから入力された信号に応じて該駆動手段を制御して前記結合部材を結合位置または非結合位置に駆動させると共に、前記録再生部を前記固定部材に固定する固定状態のとき、前記記録再生部の低い周波数領域でのサーボゲインを上げる制御手段と、を備えてなるため、ユーザのスイッチ操作により結合部材を結合位置または非結合位置に駆動させて記録再生部の支持構造をフローティング構造または剛体構造に容易に切り替えることができる。
【００４２】
上記請求項３記載の発明によれば、結合部材の動作位置を報知する報知手段を備えてなるため、報知手段により記録再生部の支持構造がフローティング構造か、あるいは剛体構造なのかを容易に認識することができる。
【図面の簡単な説明】
【図１】本発明になる記録再生装置の第１実施例としての正面図である。
【図２】第１実施例の筐体１２の内部構成を示す正面図である。
【図３】第１実施例の記録再生ユニット２２をロックした固定状態を示す正面図である。
【図４】第１実施例の記録再生ユニット２２がロック解除されたフローティング状態を示す縦断面図である。
【図５】第１実施例の記録再生ユニット２２がロックされた固定状態を示す縦断面図である。
【図６】第２実施例の構成を示すブロック図である。
【図７】第２実施例の筐体４２の内部構成を示す正面図である。
【図８】第２実施例の記録再生ユニット２２をロックした固定状態を示す正面図である。
【図９】制御部５０が実行する制御処理を説明するためのフローチャートである。
【図１０】変形例のフローティング状態を示す縦断面図である。
【図１１】変形例の固定状態を示す縦断面図である。
【符号の説明】
１１，４０，６１  ＣＤ−ＲＯＭ装置
１２  筐体
１４  前面パネル
１６  切替操作ノブ
１８  シャーシ
２０  ダンパ部材
２２  記録再生ユニット
２４，５４  動作状態切替機構
２６  偏心ピン
２８  係合部材
３０  固定板
３１  ターンテーブル
３２  ディスクモータ
３３  トラバース
３４  ベース
４４  表示装置
４６  切替操作釦
４８  スイッチ
５０  制御部
５６  モータ
５７  ピックアップ
５８  駆動ギヤ
６０  大径ギヤ
６２  係合部材
【図１】
0004658390.tif 000002
【図２】
0004658390.tif 000003
【図３】
0004658390.tif 000004
【図４】
0004658390.tif 000005
【図５】
0004658390.tif 000006
【図６】
0004658390.tif 000007
【図７】
0004658390.tif 000008
【図８】
0004658390.tif 000009
【図９】
0004658390.tif 000010
【図１０】
0004658390.tif 000011
【図１１】
0004658390.tif 000012